(57)【要約】【課題】  超音波毛髪接着装置において、安定した超音波振動を行うことができるとともに、耐久性に優れた超音波ホーンを得る。【解決手段】  先端部に作業面８が形成された超音波ホーン７と、前記作業面８に当接離反可能な押さえ面１１を有する押さえ部１０を備え、生きた毛髪と人工毛髪を接着剤を介して前記作業面８と押さえ面１１で押さえ、前記接着剤に超音波振動エネルギーを与えて溶融し前記人工毛髪と生きた毛髪を接着する超音波毛髪接着装置における超音波ホーン７であって、超音波ホーン本体１３の先端部１３ａに、該超音波ホーン本体１３の中心軸線１２を挟んで対称にテーパー面１４，１５を形成し、該テーパー面１４，１５の一方の面を前記作業面８とした。【選択図】    図１
2005205858.tif 000002
【特許請求の範囲】
【請求項１】
先端部に作業面が形成された超音波ホーンと、前記作業面に当接離反可能な押さえ面を有する押さえ部を備え、生きた毛髪と人工毛髪を接着剤を介して前記作業面と押さえ面で押さえ、前記接着剤に超音波振動エネルギーを与えて溶融し前記人工毛髪と生きた毛髪を接着する超音波毛髪接着装置における超音波ホーンであって、
超音波ホーン本体の先端部に、該超音波ホーン本体の中心軸線を挟んで対称にテーパー面を形成し、該テーパー面の一方の面を前記作業面としたことを特徴とする超音波毛髪接着装置における超音波ホーン。
【発明の詳細な説明】
【技術分野】
【０００１】
本発明は、頭部に生えている毛髪に、人工的な毛髪（人の毛髪及び人造毛髪を含む）を超音波で接着して毛髪の本数を増やす超音波毛髪接着装置における超音波ホーンに関するものである。
【背景技術】
【０００２】
従来、頭部に生えている毛髪に、切り取った人の毛髪や人造の毛髪といった人工的な毛髪（以下、人工毛髪という）を取り付ける手段として、先端部に作業面が形成された超音波ホーンと、前記作業面に当接離反可能な押さえ面を有する押さえ部を備え、生きた毛髪と人工毛髪を接着剤を介して前記作業面と押さえ面で押さえ、前記接着剤に超音波振動エネルギーを与えて溶融し前記人工毛髪と生きた毛髪を接着する超音波毛髪接着装置が知られている。
【０００３】
かかる超音波毛髪接着装置は、図３に示すように、ケース１内に電気回路が組み込まれ、この電気回路により５，０００Ｈｚから１００，０００Ｈｚの範囲、好ましくは２０，０００Ｈｚ〜６０，０００Ｈｚの範囲の超音波周波数の電気信号を形成し、この電気信号をケース１のコンセント２とプラグ３との接続によりコード４を介してハンドピース５に与え、このハンドピース５のケース６内の図示しない超音波発生部で超音波を発生させ、この超音波発生部の先端に接続した超音波ホーン７を超音波振動させ、この超音波ホーン７の先端部に形成された作業面８と、前記ハンドピース５に回動可能に取り付けられたレバー９の先端に設けた押さえ部１０の押さえ面１１とで、生きた毛髪と人工毛髪を接着剤を介して押さえ、前記接着剤に超音波振動エネルギーを与えて溶融し前記人工毛髪と生きた毛髪を接着する構造となっている。（例えば、特許文献１参照。）。
【特許文献１】米国特許第２，６２１，６６３号明細書
【発明の開示】
【発明が解決しようとする課題】
【０００４】
しかしながら、上記の超音波毛髪接着装置における超音波ホーン７は、図４に示すように、その先端部に形成されている作業面８が、超音波ホーン７の中心軸線１２に対して傾斜した片面取りによる平面からなっていたので、超音波ホーン７の先端（鋭角の先端）７ａが中心軸線１２から外れており、このため超音波振動が超音波ホーン７の中心軸線１２から外れた先端に集中することから安定した超音波振動が得られず、しかも安定した超音波振動が得られない結果、長時間の使用で超音波ホーン７が熱を帯びて高温となり、脆くなってひび割れが生じる等、耐久性が悪いといった問題点があった。
【０００５】
本発明の目的は、超音波毛髪接着装置において、安定した超音波振動を行うことができるとともに、耐久性に優れた超音波ホーンを提供することにある。
【課題を解決するための手段】
【０００６】
本発明は、上記の目的を達成するために、先端部に作業面が形成された超音波ホーンと、前記作業面に当接離反可能な押さえ面を有する押さえ部を備え、生きた毛髪と人工毛髪を接着剤を介して前記作業面と押さえ面で押さえ、前記接着剤に超音波振動エネルギーを与えて溶融し前記人工毛髪と生きた毛髪を接着する超音波毛髪接着装置における超音波ホーンであって、超音波ホーン本体の先端部に、該超音波ホーン本体の中心軸線を挟んで対称にテーパー面を形成し、該テーパー面の一方の面を前記作業面としたことを特徴とする。
【発明の効果】
【０００７】
上記のように、本発明に係る超音波毛髪接着装置における超音波ホーンによれば、超音波ホーン本体の先端部に、該超音波ホーン本体の中心軸線を挟んで対称にテーパー面を形成し、該テーパー面の一方の面を前記作業面としたので、超音波ホーン本体の先端が中心軸線と一致することから、超音波振動が超音波ホーン本体の中心軸線と一致する先端に集中し、しかも超音波ホーン本体の先端部が超音波ホーン本体の中心軸線を挟んで対称のテーパー面で形成されているので、安定した超音波振動を得ることができる。これにより超音波ホーンは従来の超音波ホーンに比較して高温の熱を帯びることにはならず、耐久性が向上する。
【発明を実施するための最良の形態】
【０００８】
図１及び図２は本発明に係る超音波毛髪接着装置における超音波ホーンを実施するための最良の形態を示したもので、図１は正面図、図２はその底面図である。なお、前述した図３及び図４と対応する部分には、同一符号を付けて示している。
【０００９】
図示のように、超音波発生部（図示せず）を内蔵したハンドピース５のケース６先端から、前記超音波発生部の先端に接続されている超音波ホーン７が突出している。この超音波ホーン７にあっては、アルミニウム製の超音波ホーン本体１３の先端部１３ａに、該超音波ホーン本体１３の中心軸線１２を挟んで対称にテーパー面１４，１５が形成されており、該テーパー面１４，１５の一方の面が作業面８となっている。
【００１０】
前記ハンドピース５のケース６には、レバー９が回動可能に取り付けられており、このレバー９の先端には押さえ部１０が設けられている。この押さえ部１０には、前記超音波ホーン本体１３の先端部１３ａに形成されている作業面８と対向するように押さえ面１１が形成されており、前記レバー９を回動させることにより、前記超音波ホーン本体１３の作業面８と押さえ部１０の押さえ面１１が当接離反するようになっている。
【００１１】
このように構成した超音波ホーン７を有するハンドピース５を備えた超音波毛髪接着装置の使用にあっては、ケース１内に組み込まれた電気回路により超音波周波数の電気信号を形成し、この電気信号をケース１のコンセント２とプラグ３との接続によりコード４を介してハンドピース５に与え、このハンドピース５のケース６内の超音波発生部で超音波を発生させ、この超音波発生部の先端に接続した超音波ホーン７を超音波振動させ、超音波ホーン本体１３の先端部１３ａに形成された作業面８と、前記ハンドピース５に回動可能に支持されたレバー９の先端に設けた押さえ部１０の押さえ面１１とで、生きた毛髪と人工毛髪を接着剤を介して押さえ、前記接着剤に超音波振動エネルギーを与えて溶融し前記人工毛髪と生きた毛髪を接着する。
【００１２】
このとき、超音波発生部で発生する超音波により超音波振動する超音波ホーン７は、超音波ホーン本体１３の先端部１３ａに、該超音波ホーン本体１３の中心軸線１２を挟んで対称にテーパー面１４，１５が形成され、該テーパー面１４，１５の一方の面が前記作業面８となっているので、超音波ホーン本体１３の先端１３ｂが中心軸線１２と一致することから、超音波振動が超音波ホーン本体１３の中心軸線１２と一致する先端１３ｂに集中し、しかも超音波ホーン本体１３の先端部１３ａが超音波ホーン本体１３の中心軸線１２を挟んで対称のテーパー面１４，１５で形成されているので、安定した超音波振動を得ることができる。これにより超音波ホーン７は、図４に示すような従来の超音波ホーンに比較して高温の熱を帯びることにはならず、耐久性が向上する。
【図面の簡単な説明】
【００１３】
【図１】本発明に係る超音波毛髪接着装置における超音波ホーンを備えたハンドピースの一例の正面図である。
【図２】図１の底面図である。
【図３】従来の超音波毛髪接着装置の斜視図である。
【図４】従来の超音波毛髪接着装置における超音波ホーンの拡大図である。
【符号の説明】
【００１４】
１  ケース
２  コンセント
３  プラグ
４  コード
５  ハンドピース
６  ケース
７  超音波ホーン
７ａ  超音波ホーンの先端
８  作業面
９  レバー
１０  押さえ部
１１  押さえ面
１２  中心軸線
１３  超音波ホーン本体
１３ａ  超音波ホーン本体の先端部
１３ｂ  超音波ホーン本体の先端
１４，１５  テーパー面
【図１】
2005205858.tif 000003
【図２】
2005205858.tif 000004
【図３】
2005205858.tif 000005
【図４】
2005205858.tif 000006